(57)【要約】      （修正有）【課題】各種の端末の機能または特性への対応を、通信会議システムの中核である通信会議装置以外で実施することにより、通信会議システムとしての機能や収容端末数の拡張を低コストで実現する。【解決手段】拡張通信会議アダプタ３は、電話主装置１から映像音声信号を受信する主装置映像音声受信手段と、受信した映像音声信号を所定の信号方式に変換して通信会議装置４が備える映像信号入力端子および音声信号入力端子へ出力する主装置映像音声出力手段と、通信会議装置４が備える映像信号出力端子および音声信号出力端子から出力される映像音声信号を入力する会議装置映像音声入力手段と、入力した映像音声信号を所定の信号方式に変換して電話主装置１へ送信する会議装置映像音声送信手段とを有する。【選択図】図１
2016134690.tif 000002
【特許請求の範囲】
【請求項１】
外線および内線を収容する電話主装置と、所定の通信会議装置と接続される拡張通信会議アダプタと、から構成される拡張通信会議システムであって、
前記電話主装置は、前記外線を介して接続されている外線端末または前記内線を介して接続されている内線端末から映像情報およびまたは音声情報を含む映像音声信号を受信する端末映像音声受信手段と、前記受信した映像音声信号を前記拡張通信会議アダプタへ送信する端末映像音声送信手段と、前記拡張通信会議アダプタから映像音声信号を受信するアダプタ映像音声受信手段と、前記受信した映像音声信号を前記内線端末または前記外線端末へ送信するアダプタ映像音声送信手段と、を有し、
前記拡張通信会議アダプタは、前記電話主装置から映像音声信号を受信する主装置映像音声受信手段と、前記受信した映像音声信号を所定の信号方式に変換してまたは変換しないで前記通信会議装置が備える映像信号入力端子およびまたは音声信号入力端子へ出力する主装置映像音声出力手段と、前記通信会議装置が備える映像信号出力端子およびまたは音声信号出力端子から出力される映像音声信号を入力する会議装置映像音声入力手段と、前記入力した映像音声信号を所定の信号方式に変換してまたは変換しないで前記電話主装置へ送信する会議装置映像音声送信手段と、を有することを特徴とする拡張通信会議システム。
【請求項２】
請求項１に記載の拡張通信会議システムを構成する拡張通信会議アダプタ。
【請求項３】
請求項２に記載の拡張通信会議アダプタであって、
自拡張通信会議アダプタと接続されている所定のカメラおよびまたはマイクから映像音声信号を入力するアダプタ映像音声入力手段と、前記入力した映像音声信号と前記主装置から受信した映像音声信号を合成した映像音声信号を前記通信会議装置が備える映像信号入力端子およびまたは音声信号入力端子へ出力する合成映像音声出力手段と、をさらに有することを特徴とする拡張通信会議アダプタ。
【請求項４】
請求項３に記載の拡張通信会議アダプタであって、
前記アダプタ映像音声入力手段が入力した映像音声信号と前記通信会議装置が備える映像信号出力端子およびまたは音声信号出力端子から入力した映像音声信号を合成した映像音声信号を前記電話主装置へ送信する合成映像音声送信手段、をさらに有することを特徴とする拡張通信会議アダプタ。
【請求項５】
請求項１に記載の拡張通信会議システムを構成する電話主装置。
【請求項６】
請求項５に記載の電話主装置であって、
前記内線端末または前記外線端末の使用者を映した動画像または静止画像を予め登録しておく会議用映像登録手段をさらに有し、前記内線端末または前記外線端末が映像信号を送信しない端末であった場合または予め定められた特定操作が為された場合に、前記端末映像音声送信手段は前記会議用映像登録手段に登録されている前記内線端末または前記外線端末に対応する使用者の動画像または静止画像を前記拡張通信会議アダプタへ送信することを特徴とする電話主装置。
【発明の詳細な説明】
【技術分野】
【０００１】
本発明は、複数の端末を用いて電話会議またはテレビ会議（以下、総称して通信会議という）の機能を拡張する拡張通信会議システムおよび拡張通信会議アダプタおよび電話主装置に関する。
【背景技術】
【０００２】
従来より、遠隔地にいるユーザ同士が通信会議を行うシステムが利用されている。そして、テレビ電話端末の低価格化、通信網の高速化、スマートフォンを含む携帯電話機の画像機能の充実に伴い、様々な種類の電話端末を利用した通信会議システムが提案されている。これらの通信会議システムは、個々の端末毎に異なる機能または特性を、通信会議システム自体で変換し個々の端末へ対応しようとしている（例えば、特許文献１）。
【０００３】
しかし、各種の端末の機能または特性への対応を通信会議システムで実施することは、開発量の増大、開発内容の複雑化に伴う、システムコストの大幅増に繋がり、通信会議システムの幅広い普及を阻害する要因となっている。
【先行技術文献】
【特許文献】
【０００４】
【特許文献１】特開２００３−２８３６７３号公報
【発明の概要】
【発明が解決しようとする課題】
【０００５】
そこで、本発明の課題は、各種の端末の機能または特性への対応を、通信会議システムの中核である通信会議装置以外で実施することにより、通信会議システムとしての機能や収容端末数の拡張を低コストで実現することにある。
【課題を解決するための手段】
【０００６】
上記課題を解決するために、本発明は、外線および内線を収容する電話主装置と、所定の通信会議装置と接続される拡張通信会議アダプタと、から構成される拡張通信会議システムであって、前記電話主装置は、前記外線を介して接続されている外線端末または前記内線を介して接続されている内線端末から映像情報およびまたは音声情報を含む映像音声信号を受信する端末映像音声受信手段と、前記受信した映像音声信号を前記拡張通信会議アダプタへ送信する端末映像音声送信手段と、前記拡張通信会議アダプタから映像音声信号を受信するアダプタ映像音声受信手段と、前記受信した映像音声信号を前記内線端末または前記外線端末へ送信するアダプタ映像音声送信手段と、を有し、前記拡張通信会議アダプタは、前記電話主装置から映像音声信号を受信する主装置映像音声受信手段と、前記受信した映像音声信号を所定の信号方式に変換してまたは変換しないで前記通信会議装置が備える映像信号入力端子およびまたは音声信号入力端子へ出力する主装置映像音声出力手段と、前記通信会議装置が備える映像信号出力端子およびまたは音声信号出力端子から出力される映像音声信号を入力する会議装置映像音声入力手段と、前記入力した映像音声信号を所定の信号方式に変換してまたは変換しないで前記電話主装置へ送信する会議装置映像音声送信手段と、を有することを特徴とする。
【発明の効果】
【０００７】
本発明によれば、拡張通信会議アダプタは、電話主装置から見て内線端末に見えると共に、通信会議装置から見て映像カメラ，マイク，ディスプレイ，スピーカの１セットに見えるので、既存の電話主装置および通信会議装置をそのまま流用してまたは軽微な改造をして、通信会議システムとしての機能や収容端末数の拡張を低コストで実現できるという効果がある。
【０００８】
また、通信会議アダプタを介して、通信会議装置と電話主装置が連携するので、通信会議装置が実行している通信会議に、電話主装置を介して接続される自席の内線端末や出先の携帯電話機等で柔軟に参加できるという効果がある。
【図面の簡単な説明】
【０００９】
【図１】本発明の第１の実施形態に係る全体構成図および内部ブロック構成図である。
【図２】本発明の第１の実施形態に係る電話主装置１の動作フローチャート図である。
【図３】本発明の第１の実施形態に係る通信会議アダプタ３の動作フローチャート図である。
【図４】本発明の第２の実施形態に係る全体構成図および内部ブロック構成図である。
【発明を実施するための形態】
【００１０】
以下、本発明の実施形態について、図面を用いて説明する。図１は、本発明の第１の実施形態に係る全体構成図および内部ブロック構成図である。
【００１１】
電話主装置１は、外線としてのＷＡＮ（Ｗｉｄｅ  Ａｒｅａ  Ｎｅｔｗｏｒｋ）および内線としてのＬＡＮ（Ｌｏｃａｌ  Ａｒｅａ  Ｎｅｔｗｏｒｋ）と接続されており、ＷＡＮを介して遠隔の電話端末Ｙと通信し、ＬＡＮを介して、内線端末２と通信する。
【００１２】
内線端末２は、電話主装置１の内線としてのＬＡＮに収容される端末であり、話者を撮影する映像カメラ（図示せず）と相手映像を映す映像表示用ディスプレイ（図示せず）を備えるテレビ電話型内線端末２Ａと、映像カメラおよび映像表示用ディスプレイを備えていない内線端末２Ｂの２種がある。また、内線端末２は、内線としてのＬＡＮを介して電話主装置１と映像信号およびまたは音声信号を送受信する。
【００１３】
拡張通信会議アダプタ３は、通信会議装置４の映像音声入出力部４２が備える映像信号入力端子，音声信号入力端子，映像信号出力端子，音声信号出力端子を介して、通信会議装置４と映像信号および音声信号を入出力する。従って、通信会議装置４から見て、拡張通信会議アダプタ３は、映像カメラ，マイク，ディスプレイ，スピーカの１セットに見える。
【００１４】
また、拡張通信会議アダプタ３は、ＬＡＮを介して電話主装置１と映像信号および音声信号を送受信する。ここで、拡張通信会議アダプタ３と電話主装置１との通信方式は、テレビ電話型内線端末２Ａと電話主装置１との通信方式と同一である。従って、電話主装置１から見て拡張通信会議アダプタ３は、テレビ電話型内線端末２Ａの１つに見える。即ち、拡張通信会議アダプタ３は、既存の通信会議装置４の映像音声入出力部４２と既存の電話主装置１の間で、映像音声信号を中継し通信会議を拡張する機能を有する。
【００１５】
通信会議装置４は、例えば、テレビ会議室に設置されるテレビ会議用の多地点接続装置ＭＣＵ（Multi point Control Unit）であって、他拠点Ｘとの間でテレビ会議に係る通信制御を実行する。なお、通信会議装置４は、映像を伴わない電話会議用の装置であってもよい。
【００１６】
映像カメラ５は、会議室内の会議参加者や発言者を撮影する映像カメラであって、本来は通信会議装置４の映像音声入出力部の映像信号入力端子と接続されるものである。
【００１７】
マイク６は、会議室内の会議参加者の音声を検出するマイクであって、本来は通信会議装置４の映像音声入出力部の音声信号入力端子と接続されるものである。
【００１８】
ディスプレイ７は、会議室内の会議参加者へ会議の相手先の映像を表示するディスプレイであって、本来は通信会議装置４の映像音声入力部の映像信号出力端子と接続されるものである。
【００１９】
スピーカ８は、会議室内の会議参加者へ会議の相手先の音声を再生するスピーカであって、本来は通信会議装置４の映像音声入力部の音声信号出力端子と接続されるものである。
【００２０】
次に、各装置の内部ブロック構成について説明する。
【００２１】
電話主装置１は、電話制御部１０と、端末／アドレス情報登録部１１と、会議用映像登録部１２と、内線対応部１３と、外線対応部１４とから構成される。電話制御部１０は、電話主装置１の全体を制御する手段であって、ＷＡＮに対応した外線対応部１４とＬＡＮに対応した内線対応部１３を制御し、内線外線通話、内線相互通話、外線間通話、および、これらの組み合わせ通信を実行する。
【００２２】
そして、電話主装置１は、電話端末Ｙまたは内線端末２から映像情報または音声情報を含む映像音声信号を受信する端末映像音声受信手段でもあり、前記受信した映像音声情報を拡張通信会議アダプタ３へ送信する端末映像音声送信手段でもあり、さらに前記拡張通信会議アダプタ３から映像音声信号を受信するアダプタ映像音声受信手段でもあり、前記受信した映像音声信号を前記内線端末２または電話端末Ｙへ送信するアダプタ映像音声送信手段でもある。
【００２３】
端末／アドレス情報登録部１１は、電話主装置１に帰属可能な端末の端末識別番号またはＩＰアドレスを予め登録しておく記憶部である。なお、通信会議への参加の可否、即ち、拡張通信会議アダプタ３への接続許可に係る情報も、この端末／アドレス情報登録部１１に記憶させておくようにしてもよい。
【００２４】
会議用映像登録部１２は、電話端末Ｙまたはおよび内線端末２の使用者を映した動画像または静止画像を、電話端末Ｙまたはおよび内線端末２の端末識別番号またはＩＰアドレスと対応つけて、予め登録しておく会議用映像登録手段である。
【００２５】
拡張通信会議アダプタ３は、アダプタ制御部３０と、映像音声変換合成部３１と、映像音声変換分配部３２と、操作部３３とから構成される。
【００２６】
アダプタ制御部３０は、拡張通信会議アダプタ３の全体を制御する手段であって、ＬＡＮを介して電話主装置１と内線通信を実行する。そして、電話主措置１から受信した映像および音声を映像音声変換合成部３１へ引き渡す。さらに、映像音声変換分配部３２より受信した映像および音声を電話主装置１へ送信する。また、操作部３３からの各種操作を検出する。
【００２７】
アダプタ制御部３０は、電話主装置１から映像音声信号を受信する主装置映像音声受信手段であると共に、映像音声変換合成部３１を介して、前記受信した映像音声信号を所定の信号方式に変換してまたは変換しないで、通信会議装置４が備える映像信号入力端子およびまたは音声信号入力端子へ出力する主装置映像音声出力手段である。また、アダプタ制御部３０は、通信会議装置４が備える映像信号出力端子およびまたは音声信号出力端子から出力される映像音声信号を、映像音声変換合成部３１を介して入力する会議装置映像音声入力手段でもあり、前記入力した映像音声信号を所定の信号方式に変換してまたは変換しないで電話主装置１へ送信する会議装置映像音声送信手段でもある。
【００２８】
映像音声変換合成部３１は、カメラ５から入力した映像と電話主装置１から受信した映像を合成して通信会議装置４へ出力すると共に、マイク６から入力した音声と電話主装置１から受信した音声を合成して通信会議装置４へ出力する。なお、映像音声変換合成部３１は、個々の機器の機能や特性に応じて信号方式や信号レベルを変換または調整する。
【００２９】
映像音声変換分配部３２は、通信会議装置４から入力した映像と電話主装置１から受信した映像を合成してディスプレイ７に表示すると共に、通信会議装置４から入力した音声と電話主装置１から受信した音声を合成してスピーカ８で再生する。なお、映像音声変換分配部３２は、個々の機器の機能や特性に応じて信号方式や信号レベルを変換または調整する。
【００３０】
通信会議装置４は、会議制御部４０と、通信制御部４１と、映像音声入出力部４２と、操作部４３とから構成される。会議制御部４０は通信会議装置４の全体を制御する手段であって、ＷＡＮを介して他拠点Ｘと通信する通信制御部４１と映像音声入出力部４２との接続を制御すると共に、操作部４３からの各種操作を検出する。
【００３１】
映像音声入出力部４２は、映像信号入力端子，音声信号入力端子，映像信号出力端子，音声信号出力端子を備えている。
【００３２】
図２は、本発明の第１の実施形態に係る電話主装置１の動作フローチャート図である。本フローは、電話主装置１の拡張通信会議に係る制御フローであって、一般的な電話主装置１における交換制御や呼制御に係るフローは省略している。本フローは電源が投入されている状態で拡張通信会議の機能が起動された状態でスタートする（Ｓ２００）。
【００３３】
Ｓ２０１において、内線端末２または電話端末Ｙから通信会議用の映像の登録要求が到来し、登録用映像受信を受信すると（Ｓ２０１，ＹＥＳ）、受信した映像を、内線端末２または電話端末Ｙと対応付けて会議用映像登録部１２に登録し（Ｓ２０２）、Ｓ２０１へ戻る。
【００３４】
Ｓ２０１がＮＯで、内線端末２または電話端末Ｙから会議参加要求を受信すると（Ｓ２１０、ＹＥＳ）、拡張通信会議アダプタ３へ会議参加要求を送信し（Ｓ２１１）、拡張通信会議アダプタ３より会議参加許可を受信したか否かを判定し（Ｓ２１２）、参加許可を受信できなかった場合は（Ｓ２１２、ＮＯ）、会議参加要求を送出した端末へ不許可を通知し（Ｓ２１３）、Ｓ２２０へ遷移する。
【００３５】
参加許可を受信できた場合は（Ｓ２１２、ＹＥＳ）、内線端末２はテレビ電話型内線端末か否かを判定し（Ｓ２１３）、テレビ電話型内線端末の場合は（Ｓ２１３、ＹＥＳ）、引き続き特定操作が有るか否かを判定し（Ｓ２１４）、特定操作がなかった場合は（Ｓ２１４，ＮＯ）、内線端末２または電話端末Ｙとの映像送受信を開始する（Ｓ２１７）。そして、会議参加要求を送出した端末へ許可を通知する（Ｓ２１８）。
【００３６】
Ｓ２１３でテレビ電話型内線端末ではない場合（Ｓ２１３、ＮＯ）、または、Ｓ２１４で特定操作が無い場合は（Ｓ２１４、ＹＥＳ）、当該内線端末２または電話端末Ｙに対応した会議用映像登録部１２を参照し、登録されている映像が有るか否かを判定し（Ｓ２１５）、登録されている映像が無い場合は（Ｓ２１５、ＮＯ）、Ｓ２１８へ遷移する。登録されている映像がある場合は（Ｓ２１６、ＹＥＳ）、内線端末２または電話端末Ｙの登録されている映像の再生を開始し（Ｓ２１６）、会議参加要求を送出した端末へ許可を通知し（Ｓ２１８）、Ｓ２２０へ遷移する。
【００３７】
Ｓ２２０において、拡張通信会議アダプタ３から会議参加要求を受信すると（Ｓ２２０、ＹＥＳ）、該会議参加要求が指定している端末へ会議参加要請を送信し（Ｓ２２１）、当該端末より会議参加許可を受信したか否かを判定し（Ｓ２２２）、参加許可を受信できなかった場合は（Ｓ２２２、ＮＯ）、拡張通信会議アダプタ３へ不参加を通知し（Ｓ２２３）、Ｓ２３０へ遷移する。
【００３８】
参加許可を受信できた場合は（Ｓ２２２、ＹＥＳ）、内線端末２はテレビ電話型内線端末か否かを判定し（Ｓ２２３）、テレビ電話型内線端末の場合は（Ｓ２２３、ＹＥＳ）、引き続き特定操作が有るか否かを判定し（Ｓ２２４）、特定操作がなかった場合は（Ｓ２２４，ＮＯ）、内線端末２または電話端末Ｙとの映像送受信を開始する（Ｓ２２７）。そして、拡張通信会議アダプタ３へ参加を通知し（Ｓ２２８）、Ｓ２３０へ遷移する。
【００３９】
Ｓ２２３でテレビ電話型内線端末ではない場合（Ｓ２２３、ＮＯ）、または、Ｓ２２４で特定操作が無い場合は（Ｓ２２４、ＹＥＳ）、当該内線端末２または電話端末Ｙに対応した会議用映像登録部１２を参照し、登録されている映像が有るか否かを判定し（Ｓ２２５）、登録されている映像が無い場合は（Ｓ２２５、ＮＯ）、Ｓ２２８へ遷移する。登録されている映像がある場合は（Ｓ２２６、ＹＥＳ）、内線端末２または電話端末Ｙの登録されている映像の再生を開始し（Ｓ２２６）、Ｓ２２８へ遷移する。
【００４０】
Ｓ２３０において、会議参加中の全ての内線端末２または電話端末Ｙから受信した映像または登録映像を合成して拡張通信会議アダプタ３へ送信する（Ｓ２３０）。次に、会議参加中の全ての内線端末２または電話端末Ｙから入力した音声を合成して拡張通信会議アダプタ３へ送信する（Ｓ２３１）。次に、拡張通信会議アダプタ３から受信した映像を会議参加中の映像受信機能を有する全ての内線端末２または電話端末Ｙへ送信する（Ｓ２３２）。次に、拡張通信会議アダプタ３から受信した音声を会議参加中の全ての内線端末２または電話端末Ｙへ送信する（Ｓ２３３）。なお、この場合端末毎に自発言音声はキャンセルする合成を行う。
【００４１】
そして、通信会議が終了したか否かを判定し（Ｓ２４０）、終了しない場合は（Ｓ２４０、ＮＯ）、Ｓ２０１へ戻る。終了した場合は（Ｓ２４０、ＹＥＳ）、処理を終了する（Ｓ２４１）。なお、Ｓ２３０〜Ｓ２３３は、電話主装置１が、拡張通信会議アダプタ３と映像音声信号を入出力するフローであるが、通信会議に参加する内線端末２または電話端末Ｙが皆無な場合、Ｓ２３０〜Ｓ２３３は実効的にはスルーとなる。
【００４２】
図３は、本発明の第１の実施形態に係る通信会議アダプタ３の動作フローチャート図である。本フローは電源が投入されている状態でスタートする（Ｓ３００）。
【００４３】
Ｓ３１０において、電話主装置１から会議参加要求を受信すると（Ｓ３１０、ＹＥＳ）、ディスプレイ７に会議参加要求があった旨を表示する（Ｓ３１１）。次に、会議参加許可操作が有るか否かを判定し（Ｓ３１２）、許可操作があった場合は（Ｓ３１２、ＹＥＳ）、電話主装置１へ参加許可を送信し（Ｓ３１３）、Ｓ３２０へ遷移する。許可操作が無かった場合は（Ｓ３１２、ＮＯ）、電話主装置１へ参加不許可を送信し（Ｓ３１４）、Ｓ３２０へ遷移する。
【００４４】
Ｓ３２０において、通信会議装置４から電話主装置１へ接続されている端末への会議参加要請操作があったか否かを判定し、会議参加要請操作があった場合は（Ｓ３２０、ＹＥＳ）、電話主装置１へ会議参加要請を送信する（Ｓ３２１）。次に、指定された端末より参加を受信したか否かを判定し（Ｓ３２２）、参加を受信した場合は（Ｓ３２２、ＹＥＳ）、指定された端末の参加をディスプレイ７に表示し（Ｓ３２３）、Ｓ３３０へ遷移する。参加を受信しなかった場合は（Ｓ３２２、ＮＯ）、指定された端末の不参加をディスプレイ７に表示し（Ｓ３２４）、Ｓ３３０へ遷移する。
【００４５】
Ｓ３３０において、カメラ５から入力した映像と電話主装置１から受信した映像を合成して通信会議装置４へ出力する。次に、マイク６から入力した音声と電話主装置１から受信した音声を合成して通信会議装置４へ出力する（Ｓ３３１）。次に、通信会議装置４から入力した映像と電話主装置１から受信した映像を合成してディスプレイ７に表示する（Ｓ３３２）。次に、通信会議装置４から入力した音声と電話主装置１から受信した音声を合成してスピーカ８で再生する（Ｓ３３３）。
【００４６】
なお、Ｓ３３０〜Ｓ３３３は、拡張通信会議アダプタ３が、通信会議装置４と映像音声信号を入出力するフローであるが、通信会議に参加する内線端末２または電話端末が皆無な場合、拡張通信会議アダプタ３と接続されたマイク６およびスピーカ７との間で映像音声信号を中継するだけとなる。
【００４７】
そして、通信会議が終了したか否かを判定し（Ｓ３４０）、終了しない場合は（Ｓ３４０、ＮＯ）、Ｓ３１０へ戻る。終了した場合は（Ｓ３４０、ＹＥＳ）、処理を終了する（Ｓ３４１）。
【００４８】
図４は、本発明の第２の実施形態に係る全体構成図および内部ブロック構成図である。拡張通信会議アダプタ３Ａは、図１で示した拡張通信会議アダプタ３から映像カメラ，マイク，ディスプレイ，スピーカの各入出力端子を除去すると共に、複数の映像信号を合成する機能および複数の音声信号を合成する機能を削除したものである。なお、これらの合成機能は通信会議装置４Ａに委ねている。
【００４９】
この拡張通信会議アダプタ３Ａは、通信会議装置４Ａから見て、映像カメラ，マイク，ディスプレイ，スピーカの１セットに見え、映像カメラ，マイク，ディスプレイ，スピーカの各入出力端子が複数存在する通信会議装置４Ａと連携するのに好適である。なお、図３で示した動作フローは、通信会議装置４Ａにおいて実行する。
【００５０】
ところで、以上説明した実施形態における内線端末２（テレビ電話型を含む）や電話端末Ｙは、スマートフォン等の携帯端末でもよい。
【００５１】
以上説明した通り、本発明によれば、拡張通信会議アダプタは、電話主装置から見て内線端末に見えると共に、通信会議装置から見て映像カメラ，マイク，ディスプレイ，スピーカの１セットに見えるので、既存の電話主装置および通信会議装置をそのまま流用してまたは軽微な改造をして、通信会議システムとしての機能や収容端末数の拡張を低コストで実現できるという効果がある。
【００５２】
また、拡張通信会議アダプタを介して、通信会議装置と電話主装置が連携するので、通信会議装置が実行している通信会議に、電話主装置を介して接続される自席の内線端末や出先の携帯電話機等で柔軟に参加できるという効果がある。
【００５３】
また、主装置を介して通信会議装置と繋がる内線端末や電話端末が、テレビ電話型端末ではない場合またはテレビ電話型端末の場合であっても特定操作を行った場合には、あらかじめ登録しておいた映像を相手に対して再生することができるので、無画面の味気無さを解消することができる。
【符号の説明】
【００５４】
１      電話主装置
２      内線端末
３      拡張通信会議アダプタ
４      通信会議装置
５      映像カメラ
６      マイク
７      ディスプレイ
８      スピーカ
１０    電話制御部
１１    端末／アドレス情報登録部
１２    会議用映像登録部
１３    内線対応部
１４    外線対応部
３０    アダプタ制御部
３１    映像音声変換合成部
３２    映像音声変換分配部
３３    操作部
４０    会議制御部
４１    通信制御部
４２    映像音声入出力部
４３    操作部
【図１】
2016134690.tif 000003
【図２】
2016134690.tif 000004
【図３】
2016134690.tif 000005
【図４】
2016134690.tif 000006